【手続補正書】
【提出日】平成17年11月28日(2005.11.28)
【手続補正１】
【補正対象書類名】明細書
【補正対象項目名】発明の名称
【補正方法】変更
【補正の内容】
【発明の名称】画像形成装置及び画像形成方法
【手続補正２】
【補正対象書類名】明細書
【補正対象項目名】特許請求の範囲
【補正方法】変更
【補正の内容】
【特許請求の範囲】
【請求項１】  ネットワークを介して通信可能なサーバ装置が有しているデータを取得して、当該データに基づいて印刷を行う画像形成装置であって、
取得したデータに基づく画像を印刷する第１モードと、取得したデータに基づく画像に代えて他の画像を印刷する第２モードと、取得したデータに基づく画像を印刷しない第３モードとを含む複数の印刷モードの中からユーザにより設定された印刷モードの種別を取得する印刷モード取得手段と、
前記印刷モード取得手段により取得された印刷モードの種別に基づいて、印刷処理を行う画像形成手段を有することを特徴とする画像形成装置。
【請求項２】取得したデータがイメージデータであるか否かを判定する判定手段を有し、
前記画像形成手段は、前記第２モードにおいては、前記イメージデータであると判定された場合に当該イメージデータに基づく画像に代えて他の画像を印刷する印刷処理を行い、前記第３モードにおいては、前記イメージデータであると判定された場合に当該イメージデータに基づく画像を印刷しない印刷処理を行うことを特徴とする請求項１記載の画像形成装置。
【請求項３】  前記第２モードでは、取得したデータに基づく画像に代えて、当該データの存在場所を特定する情報を印刷する印刷処理を行うことを特徴とする請求項２記載の画像形成装置。
【請求項４】  前記第２モードでは、取得したデータに基づく画像に代えて、当該データが出力結果中に存在すべき領域を示す情報を印刷する印刷処理であることを特徴とする請求項２記載の画像形成装置。
【請求項５】  前記画像形成手段が前記第３の印刷モードに基づいて印刷処理を行う場合、同一出力ページ中の文字データのレイアウトを変更して出力することを特徴とする請求項２乃至請求項４のいずれか１項に記載の画像形成装置。
【請求項６】  情報処理装置が提供する提供情報を取得する第一の取得手段と、
前記提供情報に含まれる識別情報に基づいて、当該識別情報が示す引用情報を取得する第二の取得手段と、
前記引用情報を表示する表示手段と、
前記引用情報の属性を判断する判断手段と、
前記判断手段において判断された属性に従って、前記表示手段によって表示された前記引用情報か、又は前記表示手段によって表示されない前記識別情報の少なくとも何れかを印刷する印刷手段と、
を有することを特徴とする画像形成装置。
【請求項７】  印刷が指示されたデータ中に含まれる画像データのサムネイルを生成するサムネイル生成手段と、
前記サムネイル毎にユーザが重要度の設定を行うことの可能なユーザインタフェースを表示する表示手段と、
前記ユーザが設定した重要度を反映した、前記印刷が指示されたデータの印刷コマンドを生成する印刷コマンド生成手段を有することを特徴とする情報処理装置。
【請求項８】  印刷が指示されたＷｅｂページ内に含まれる画像データの参照先を表すデータを検出する検出手段と、
当該参照先を表すデータ中に含まれるサーバ名を抽出する抽出手段と、
前記抽出したサーバ名と、予め登録されたサーバ名と重要度との対応情報を参照して、前記画像データ毎に重要度を設定する設定手段と、
前記重要度を反映した、前記印刷が指示されたＷｅｂページの印刷コマンドを生成する印刷コマンド生成手段を有することを特徴とする情報処理装置。
【請求項９】  画像データについてその重要度が付加された印刷コマンドを受信し、画像形成を行う画像形成装置であって、
前記印刷コマンドに含まれる画像データの重要度を判別する判別手段と、
前記判別した重要度に応じて、当該画像データの画像形成を、通常の画像柄形成処理又は通常よりも高速に画像形成可能な処理のいずれかで行う画像形成手段を有する画像形成装置。
【請求項１０】  ネットワークを介して通信可能なサーバ装置が有しているデータを取得して、当該データに基づいて印刷を行う画像形成方法であって、
取得したデータに基づく画像を印刷する第１モードと、取得したデータに基づく画像に代えて他の画像を印刷する第２モードと、取得したデータに基づく画像を印刷しない第３モードとを含む複数の印刷モードの中からユーザにより設定された印刷モードの種別を取得する印刷モード取得ステップと、
前記印刷モード取得ステップにより取得された印刷モードの種別に基づいて、印刷処理を行う画像形成ステップを有することを特徴とする画像形成方法。
【請求項１１】  取得したデータがイメージデータであるか否かを判定する判定ステップを有し、
前記画像形成ステップは、前記第２モードにおいては、前記イメージデータであると判定された場合に当該イメージデータに基づく画像に代えて他の画像を印刷する印刷処理を行い、前記第３モードにおいては、前記イメージデータであると判定された場合に当該イメージデータに基づく画像を印刷しない印刷処理を行うことを特徴とする請求項１０記載の画像形成方法。
【請求項１２】  前記第２モードでは、取得したデータに基づく画像に代えて、当該データの存在場所を特定する情報を印刷する印刷処理を行うことを特徴とする請求項１１記載の画像形成方法。
【請求項１３】  前記第２モードでは、取得したデータに基づく画像に代えて、当該データが出力結果中に存在すべき領域を示す情報を印刷する印刷処理であることを特徴とする請求項１１記載の画像形成方法。
【請求項１４】  前記画像形成ステップが前記第３の印刷モードに基づいて印刷処理を行う場合、同一出力ページ中の文字データのレイアウトを変更して印刷処理を行うことを特徴とする請求項１１乃至請求項１３のいずれか１項に記載の画像形成方法。
【請求項１５】  情報処理装置が提供する提供情報を取得する第一の取得ステップと、
前記提供情報に含まれる識別情報に基づいて、当該識別情報が示す引用情報を取得する第二の取得ステップと、
前記引用情報を表示部に表示する表示ステップと、
前記引用情報の属性を判断する判断ステップと、
前記判断ステップにおいて判断された属性に従って、少なくとも前記表示ステップによって表示部に表示された前記引用情報を印刷するか、前記表示ステップによって表示部に表示されない前記識別情報を印刷するかを選択する選択ステップと、
を有することを特徴とする画像形成方法。
【請求項１６】  印刷が指示されたデータ中に含まれる画像データのサムネイルを生成するサムネイル生成ステップと、
前記サムネイル毎にユーザが重要度の設定を行うことの可能なユーザインタフェースを表示する表示ステップと、
前記ユーザが設定した重要度を反映した、前記印刷が指示されたデータの印刷コマンドを生成する印刷コマンド生成ステップを有することを特徴とする情報処理方法。
【請求項１７】  印刷が指示されたＷｅｂページ内に含まれる画像データの参照先を表すデータを検出する検出ステップと、
当該参照先を表すデータ中に含まれるサーバ名を抽出する抽出ステップと、
前記抽出したサーバ名と、予め登録されたサーバ名と重要度との対応情報を参照して、前記画像データ毎に重要度を設定する設定ステップと、
前記重要度を反映した、前記印刷が指示されたＷｅｂページの印刷コマンドを生成する印刷コマンド生成ステップを有することを特徴とする情報処理方法。
【請求項１８】  画像データについてその重要度が付加された印刷コマンドを受信し、画像形成を行う画像形成方法であって、
前記印刷コマンドに含まれる画像データの重要度を判別する判別ステップと、
前記判別した重要度に応じて、当該画像データの画像形成を、通常の画像柄形成処理又は通常よりも高速に画像形成可能な処理のいずれかで行う画像形成ステップを有する画像形成方法。
【請求項１９】  請求項１０乃至請求項１８のいずれか１項に記載の方法をコンピュータ装置に実現させるコンピュータプログラム。
【手続補正３】
【補正対象書類名】明細書
【補正対象項目名】００１１
【補正方法】変更
【補正の内容】
【００１１】
【課題を解決するための手段】
すなわち、本発明の要旨は、ネットワークを介して通信可能なサーバ装置が有しているデータを取得して、当データに基づく印刷を処理する画像処理装置であって、取得したデータに基づく画像を印刷する第１モードと、取得したデータに基づく画像に代えて他の画像を印刷する第２モードと、取得したデータに基づく画像を印刷しない第３モードとを含む複数の印刷モードの中からユーザにより設定された印刷モードの種別を取得する印刷モード取得手段と、印刷モード取得手段により取得された印刷モードの種別に基づいて、印刷処理を行う画像形成手段を有することを特徴とする画像形成装置に存する。
また、本発明の別の要旨は、ネットワークを介して通信可能なサーバ装置が有しているデータを取得して、当データに基づく印刷を処理する画像処理方法であって、取得したデータに基づく画像を印刷する第１モードと、取得したデータに基づく画像に代えて他の画像を印刷する第２モードと、取得したデータに基づく画像を印刷しない第３モードとを含む複数の印刷モードの中からユーザにより設定された印刷モードの種別を取得する印刷モード取得ステップと、印刷モード取得ステップにより取得された印刷モードの種別に基づいて、印刷処理を行う画像形成ステップを有することを特徴とする画像形成方法に存する。